(57)【要約】【課題】この発明は、母線と引出形真空遮断器との接続構造を改良することにより、小型化を図ることができるスイッチギヤを提供するものである。【解決手段】外箱内に挿入および引き出されるとともに上部側可動接触子と下部側可動接触子とを有する開閉器と、前記開閉器の挿入方向と直交し垂直方向に配設され、前記開閉器の前記上部側可動接触子または前記下部側可動接触子の何れか一方側が接続される母線接続導体と、前記開閉器の挿入方向と直交して水平方向に延在するとともに前記母線接続導体の近傍に上下方向に配列された母線と、前記母線と前記母線接続導体とを接続する母線折曲部と、前記開閉器の挿入方向と直交し垂直方向に配設され、前記開閉器の前記上部側可動接触子または前記下部側可動接触子の何れか他方側が接続されるとともに計器用変流器が接続される外線ケーブル接続導体とを備えたものである。【選択図】図１
2014131387.tif 000002
【特許請求の範囲】
【請求項１】
外箱内に挿入および引き出されるとともに上部側可動接触子と下部側可動接触子とを有する開閉器と、前記開閉器の挿入方向と直交し垂直方向に配設され、前記開閉器の前記上部側可動接触子または前記下部側可動接触子の何れか一方側が接続される母線接続導体と、前記開閉器の挿入方向と直交して水平方向に延在するとともに前記母線接続導体の近傍に上下方向に配列された母線と、前記母線と前記母線接続導体とを接続する母線折曲部と、前記開閉器の挿入方向と直交し垂直方向に配設され、前記開閉器の前記上部側可動接触子または前記下部側可動接触子の何れか他方側が接続されるとともに計器用変流器が接続される外線ケーブル接続導体とを備えたことを特徴とするスイッチギヤ。
【請求項２】
外箱内に挿入および引き出されるとともに上部側可動接触子と下部側可動接触子とを有する第１の開閉器と、前記外箱内に挿入および引き出されるとともに前記第１の開閉器の下段側に配設され、上部側可動接触子と下部側可動接触子とを有する第２の開閉器と、前記第１の開閉器および前記第２の開閉器の挿入方向と直交し垂直方向に配設され、前記第１の開閉器の前記下部側可動接触子と前記第２の開閉器の前記上部側可動接触子とが接続される母線接続導体と、前記第１の開閉器および前記第２の開閉器の挿入方向と直交して水平方向に延在するとともに前記母線接続導体の近傍に上下方向に配列された母線と、前記母線と前記母線接続導体とを接続する母線折曲部と、前記第１の開閉器および前記第２の開閉器の挿入方向と直交し垂直方向に配設され、前記第１の開閉器の前記上部側可動接触子または前記第２の開閉器の前記下部側可動接触子の何れかが接続されるとともに計器用変流器が接続される外線ケーブル接続導体とを備えたことを特徴とするスイッチギヤ。
【請求項３】
前記母線は前記母線接続導体の後方側に配設されたことを特徴とする請求項1または請求項２に記載のスイッチギヤ。
【請求項４】
前記母線は前記母線接続導体の前面側に配設されたことを特徴とする請求項１または請求項２に記載のスイッチギヤ。
【請求項５】
前記母線は前記母線接続導体の後方側および前面側に配設されたことを特徴とする請求項１または請求項２に記載のスイッチギヤ。
【請求項６】
前記母線はその両端部を折曲して形成した前記母線折曲部を有するコ字状に構成されたことを特徴とする請求項１ないし請求項５の何れか１項に記載のスイッチギヤ。
【発明の詳細な説明】
【技術分野】
【０００１】
この発明は、例えば三相で構成される母線に三相で構成される引出形真空遮断器を接続するスイッチギヤに関し、特に、母線と引出形真空遮断器との接続構造に関するものである。
【背景技術】
【０００２】
従来のスイッチギヤとしては、例えば図２１に示すようなものがある。三相で構成される真空遮断器である引出形機器１は車輪１２および主回路接続部に連結式断路部を形成する上部側可動接触子１１ａ、下部側可動接触子１１ｂを備え、これを搭載するハウジングユニット２は上部側可動接触子１１ａ、下部側可動接触子１１ｂが嵌入・離脱する上部側固定接触子２１ａ、下部側固定接触子２１ｂとこの上部側固定接触子２１ａ、下部側固定接触子２１ｂをそれぞれ支持する絶縁支持物２２ａ，２２ｂを架台２３上に備えている。
【０００３】
また、上部側可動接触子１１ａ、下部側可動接触子１１ｂは一般的に引出形機器１の背面側から見て水平方向一列に配設されている。この上部側可動接触子１１ａ、下部側可動接触子１１ｂに対応した位置にスイッチギヤに相当する閉鎖配電盤１０の奥行方向に長く延在する上部側固定接触子２１ａ、下部側固定接触子２１ｂも水平方向一列に配設されている。
【０００４】
そして、閉鎖配電盤１０内の上部側固定接触子２１ａよりさらに奥側に引出形機器１の挿入・引き出し方向と直交する方向に延在する三相で構成される母線７が絶縁支持部８に支持板されて配設され、これら母線７は閉鎖配電盤１０の奥行方向に配列されるとともに水平方向一列に配設されている。上部側固定接触子２１ａと母線７とは分岐導体６ａによって接続されている。
【０００５】
また、下部側固定接触子２１ｂは閉鎖配電盤１０の奥行方向で水平方向に配列された分岐導体６ｂによって変流器５の一方側と接続され、変流器５の他方側は分岐導体６ｃに接続され、この分岐導体６ｃに外線ケーブル２５が接続さている。
【先行技術文献】
【特許文献】
【０００６】
【特許文献１】実開昭６３−５５７０８号公報
【発明の概要】
【発明が解決しようとする課題】
【０００７】
上述した従来のスイッチギヤは、三相で構成される真空遮断器である引出形機器１の上部側可動接触子１１ａ、下部側可動接触子１１ｂに対応した位置にスイッチギヤに相当する閉鎖配電盤１０の奥行方向に長く延在する上部側固定接触子２１ａ、下部側固定接触子２１ｂも水平方向一列に配設され、さらに、閉鎖配電盤１０内の上部側固定接触子２１ａよりさらに奥側に引出形機器１の挿入・引き出し方向と直交する方向に延在する三相で構成される母線７が閉鎖配電盤１０の奥行方向に配列されるとともに水平方向一列に配設されているので、スイッチギヤの奥行き寸法が大きなものとなるという問題点があった。
【０００８】
また、従来のスイッチギヤは、引出形機器１の下部側固定接触子２１ｂが閉鎖配電盤１０の奥行方向で水平方向に配列された分岐導体６ｂによって変流器５の一方側と接続され、変流器５の他方側は分岐導体６ｃに接続され、この分岐導体６ｃに外線ケーブル２５が接続さているので、変流器５および外線ケーブル２５の接続領域を大きくとる必要がある
という問題点があった。
【０００９】
この発明は、上記のような課題を解決するためになされたものであり、その目的は、母線と引出形開閉器との接続構造を改良することにより、小型化を図ることができるスイッチギヤを提供するものである。
【課題を解決するための手段】
【００１０】
この発明に係わるスイッチギヤは、外箱内に挿入および引き出されるとともに上部側可動接触子と下部側可動接触子とを有する開閉器と、前記開閉器の挿入方向と直交し垂直方向に配設され、前記開閉器の前記上部側可動接触子または前記下部側可動接触子の何れか一方側が接続される母線接続導体と、前記開閉器の挿入方向と直交して水平方向に延在するとともに前記母線接続導体の近傍に上下方向に配列された母線と、前記母線と前記母線接続導体とを接続する母線折曲部と、前記開閉器の挿入方向と直交し垂直方向に配設され、前記開閉器の前記上部側可動接触子または前記下部側可動接触子の何れか他方側が接続されるとともに計器用変流器が接続される外線ケーブル接続導体とを備えたものである。
【００１１】
また、この発明に係わるスイッチギヤは、外箱内に挿入および引き出されるとともに上部側可動接触子と下部側可動接触子とを有する第１の開閉器と、前記外箱内に挿入および引き出されるとともに前記第１の開閉器の下段側に配設され、上部側可動接触子と下部側可動接触子とを有する第２の開閉器と、前記第１の開閉器および前記第２の開閉器の挿入方向と直交し垂直方向に配設され、前記第１の開閉器の前記下部側可動接触子と前記第２の開閉器の前記上部側可動接触子とが接続される母線接続導体と、前記第１の開閉器および前記第２の開閉器の挿入方向と直交して水平方向に延在するとともに前記母線接続導体の近傍に上下方向に配列された母線と、前記母線と前記母線接続導体とを接続する母線折曲部と、前記第１の開閉器および前記第２の開閉器の挿入方向と直交し垂直方向に配設され、前記第１の開閉器の前記上部側可動接触子または前記第２の開閉器の前記下部側可動接触子の何れかが接続されるとともに計器用変流器が接続される外線ケーブル接続導体とを備えたものである。
【発明の効果】
【００１２】
この発明に係わるスイッチギヤによれば、母線と引出形真空遮断器との接続構造を改良することにより、小型化を図ることができるスイッチギヤを得ることができる。
【図面の簡単な説明】
【００１３】
【図１】この発明の実施の形態1に係わるスイッチギヤを示す側断面図である。
【図２】この発明の実施の形態1に係わるスイッチギヤを示す背面図である。
【図３】この発明の実施の形態２に係わるスイッチギヤを示す側断面図である。
【図４】この発明の実施の形態２に係わるスイッチギヤを示す背面図である。
【図５】この発明の実施の形態３に係わるスイッチギヤを示す側断面図である。
【図６】この発明の実施の形態３に係わるスイッチギヤを示す背面図である。
【図７】この発明の実施の形態４に係わるスイッチギヤを示す側断面図である。
【図８】この発明の実施の形態４に係わるスイッチギヤを示す背面図である。
【図９】この発明の実施の形態５に係わるスイッチギヤにおける母線接続構造を示す平面図である。
【図１０】この発明の実施の形態５に係わるスイッチギヤにおける上部側可動接触子と母線接続導体との接続構造を示す平面断面図である。
【図１１】この発明の実施の形態５に係わるスイッチギヤにおける上部側可動接触子と母線接続導体との接続構造を示す側面図である。
【図１２】この発明の実施の形態６に係わるスイッチギヤを示す側断面図である。
【図１３】この発明の実施の形態６に係わるスイッチギヤを示す背面図である。
【図１４】この発明の実施の形態６に係わるスイッチギヤにおける母線接続構造を示す平面図である。
【図１５】この発明の実施の形態７に係わるスイッチギヤを示す側断面図である。
【図１６】この発明の実施の形態７に係わるスイッチギヤを示す背面図である。
【図１７】この発明の実施の形態８に係わるスイッチギヤを示す側断面図である。
【図１８】この発明の実施の形態８に係わるスイッチギヤを示す背面図である。
【図１９】この発明の実施の形態９に係わるスイッチギヤを示す側断面図である。
【図２０】この発明の実施の形態９に係わるスイッチギヤを示す背面図である。
【図２１】従来のスイッチギヤを示す側断面図である。
【発明を実施するための形態】
【００１４】
実施の形態１．
以下、この発明の実施の形態１を図１および図２に基づいて説明するが、各図において、同一、または相当部材、部位については同一符号を付して説明する。図１はこの発明の実施の形態１に係わるスイッチギヤを示す側断面図である。図２はこの発明の実施の形態1に係わるスイッチギヤを示す背面図である。
【００１５】
図１および図２は外線ケーブルを例えば下部から引き込む場合を示している。これら各図において、開閉器として真空遮断器１０１の場合を示し、真空遮断器１０１は例えば三相構造からなり、外箱１０２内に挿入および引き出されるとともに上部側可動接触子１０３と下部側可動接触子１０４とを有する。真空遮断器１０１の上部側可動接触子１０３と下部側可動接触子１０４は図２に示すようにそれぞれ水平方向一列に配設され、上部側可動接触子１０３は第１相の上部側可動接触子１０３ａ、第２相の上部側可動接触子１０３ｂ、第３相の上部側可動接触子１０３ｃで構成され、下部側可動接触子１０４は第１相の下部側可動接触子１０４ａ、第２相の下部側可動接触子１０４ｂ、第３相の下部側可動接触子１０４ｃで構成されている。また、真空遮断器１０１は外箱１０２内の架台１０５上に載置され、車輪１０６の回動により真空遮断器１０１を挿入したり、引き出したりする。
【００１６】
母線接続導体１０７は真空遮断器１０１の挿入方向と直交し垂直方向、すなわち上下方向に延在して配設され、外箱１０２の後部のフレーム１０８に碍子１０９を介して支持されている。そして、母線接続導体１０７は真空遮断器１０１の上部側可動接触子１０３または下部側可動接触子１０４の何れか一方側が接続される。この実施の形態１においては母線接続導体１０７の一方側に真空遮断器１０１の上部側可動接触子１０３が接続され、母線接続導体１０７の他方側は垂直方向上側の外箱１０２の天井側に配置されている。すなわち、母線接続導体１０７は第１相の母線接続導体１０７ａ、第２相の母線接続導体１０７ｂ、第３相の母線接続導体１０７ｃで構成されている。第１相の母線接続導体１０７ａの一方側の下端部は真空遮断器１０１の第１相の上部側可動接触子１０３ａが接続され、第２相の母線接続導体１０７ｂの一方側の下端部は真空遮断器１０１の第２相の上部側可動接触子１０３ｂが接続され、第３相の母線接続導体１０７ｃの一方側の下端部は真空遮断器１０１の第３相の上部側可動接触子１０３ｃが接続される。なお、第１相の上部側可動接触子１０３ａ、第２相の上部側可動接触子１０３ｂ、第３相の上部側可動接触子１０３ｃは第１相の母線接続導体１０７ａ、第２相の母線接続導体１０７ｂ、第３相の母線接続導体１０７ｃのそれぞれの一方側の下端部を挟持して接続される構成となっている。
【００１７】
母線１１０は例えば三相構造からなり、真空遮断器１０１の挿入方向と直交して水平方向に延在するとともに母線接続導体１０７の近傍でその母線接続導体１０７の後方側にその母線接続導体１０７の垂直方向である上下方向に配列されている。母線１１０と母線接続導体１０７とは母線１１０の端部を折曲した母線折曲部により接続される。すなわち、母線１１０は第１相の母線１１０ａ、第２相の母線１１０ｂ、第３相の母線１１０ｃで構成され、第１相の母線１１０ａ、第２相の母線１１０ｂ、第３相の母線１１０ｃのそれぞれ両端部を折曲して形成した第１の母線折曲部１１０ａ１，１１０ａ２、第２の母線折曲部１１０ｂ１，１１０ｂ２、第３の母線折曲部１１０ｃ１，１１０ｃ２を有するコ字状に構成されている。スイッチギヤは一般的に複数連設して配置されており、複数のスイッチギヤ間の母線の接続が必要となってくる。この実施の形態１においては、第１相の母線１１０ａ、第２相の母線１１０ｂ、第３相の母線１１０ｃはそれぞれ両端部を折曲して形成した第１の母線折曲部１１０ａ１，１１０ａ２、第２の母線折曲部１１０ｂ１，１１０ｂ２、第３の母線折曲部１１０ｃ１，１１０ｃ２を有するコ字状に構成されているので、第１相の母線接続導体１０７ａは例えば図２において左隣のスイッチギヤからの第１相の母線１１０ａの第１の母線折曲部１１０ａ１と右隣からのスイッチギヤからの第１相の母線１１０ａの第１の母線折曲部１１０ａ２が接続される。第２相の母線接続導体１０７ｂは例えば図２において左隣のスイッチギヤからの第２相の母線１１０ｂの第２の母線折曲部１１０ｂ１と右隣からのスイッチギヤからの第２相の母線１１０ｂの第２の母線折曲部１１０ｂ２が接続される。第３相の母線接続導体１０７ｃは例えば図２において左隣のスイッチギヤからの第３相の母線１１０ｃの第３の母線折曲部１１０ｃ１と右隣からのスイッチギヤからの第３相の母線１１０ｃの第３の母線折曲部１１０ｃ２が接続される。
【００１８】
外線ケーブル接続導体１１１は真空遮断器１０１の挿入方向と直交し垂直方向、すなわち母線接続導体１０７の鉛直方向下方で上下方向に延在して配設され、外箱１０２の後部のフレーム１１２に碍子１１３を介して支持されている。そして、外線ケーブル接続導体１１１は真空遮断器１０１の上部側可動接触子１０３または下部側可動接触子１０４の何れか他方側が接続されるとともに計器用変流器１１４が接続される。この実施の形態１においては外線ケーブル接続導体１１１の一方側に真空遮断器１０１の下部側可動接触子１０４が接続され、外線ケーブル接続導体１１１の他方側は垂直方向下側の外箱１０２の底部側に配置されている。すなわち、外線ケーブル接続導体１１１は第１相の外線ケーブル接続導体１１１ａ、第２相の外線ケーブル接続導体１１１ｂ、第３相の外線ケーブル接続導体１１１ｃで構成されている。第１相の外線ケーブル接続導体１１１ａの一方側の上端部は真空遮断器１０１の第１相の下部側可動接触子１０４ａが接続され、第２相の外線ケーブル接続導体１１１ｂの一方側の上端部は真空遮断器１０１の第２相の下部側可動接触子１０４ｂが接続され、第３相の外線ケーブル接続導体１１１ｃの一方側の上端部は真空遮断器１０１の第３相の下部側可動接触子１０４ｃが接続される。なお、第１相の下部側可動接触子１０４ａ、第２相の下部側可動接触子１０４ｂ、第３相の下部側可動接触子１０４ｃは第１相の外線ケーブル接続導体１１１ａ、第２相の外線ケーブル接続導体１１１ｂ、第３相の外線ケーブル接続導体１１１ｃのそれぞれの一方側の上端部を挟持して接続される構成となっている。
【００１９】
以上のように、この実施の形態１のものにおいては、真空遮断器１０１の接続位置において真空遮断器１０１の挿入方向と直交し垂直方向、すなわち上下方向に延在して母線接続導体１０７を配設し、真空遮断器１０１の挿入方向と直交して水平方向に延在するとともに母線接続導体１０７の近傍にその母線接続導体１０７の垂直方向である上下方向に母線１１０を配列するとともに、真空遮断器１０１の挿入方向と直交し垂直方向、すなわち母線接続導体１０７の鉛直方向下方で上下方向に延在して外線ケーブル接続導体１１１を配設したので、母線接続導体１０７、母線１１０、外線ケーブル接続導体１１１はスイッチギヤの奥行方向に延在させるのではなく垂直方向の上下方向に配置したので、スイッチギヤの奥行空間を著しく減少させることができ、部品点数の削減による組立時間の削減、主回路導体の最短化による発熱損失の低減を図ることができるとともに、装置全体の小型化を図ることができるスイッチギヤを得ることができる。
【００２０】
また、第１相の母線１１０ａ、第２相の母線１１０ｂ、第３相の母線１１０ｃのそれぞれ両端部を折曲して形成した第１の母線折曲部１１０ａ１，１１０ａ２、第２の母線折曲部１１０ｂ１，１１０ｂ２、第３の母線折曲部１１０ｃ１，１１０ｃ２を有するコ字状に構成されているので、隣接するスイッチギヤ間の母線１１０と母線接続導体との接続作業を容易に行うことができ、接続作業の短縮化を図ることができる。
【００２１】
実施の形態２．
この発明の実施の形態２を図３および図４に基づいて説明するが、各図において、同一、または相当部材、部位については同一符号を付して説明する。図３はこの発明の実施の形態２に係わるスイッチギヤを示す側断面図である。図４はこの発明の実施の形態２に係わるスイッチギヤを示す背面図である。
【００２２】
上述した実施の形態１のものは外線ケーブルを例えば下部から引き込む場合について述べたが、この実施の形態２においては図３および図４に示すように外線ケーブルを上部から引き込む場合を示している。すなわち、母線接続導体１０７、母線１１０は下方側に配電され、外線ケーブル接続導体１１１は上方側に配置された構成となるものである。
【００２３】
これら各図において、母線接続導体１０７は真空遮断器１０１の挿入方向と直交し垂直方向、すなわち上下方向に延在して配設され、外箱１０２の後部のフレーム１０８に碍子１０９を介して支持されている。そして、母線接続導体１０７は真空遮断器１０１の上部側可動接触子１０３または下部側可動接触子１０４の何れか一方側が接続される。この実施の形態２においては母線接続導体１０７の一方側に真空遮断器１０１の下部側可動接触子１０４が接続され、母線接続導体１０７の他方側は垂直方向下側の外箱１０２の底部側に配置されている。すなわち、母線接続導体１０７は第１相の母線接続導体１０７ａ、第２相の母線接続導体１０７ｂ、第３相の母線接続導体１０７ｃで構成されている。第１相の母線接続導体１０７ａの一方側の上端部は真空遮断器１０１の第１相の下部側可動接触子１０４ａが接続され、第２相の母線接続導体１０７ｂの一方側の上端部は真空遮断器１０１の第２相の下部側可動接触子１０４ｂが接続され、第３相の母線接続導体１０７ｃの一方側の上端部は真空遮断器１０１の第３相の下部側可動接触子１０４ｃが接続される。なお、第１相の下部側可動接触子１０４ａ、第２相の下部側可動接触子１０４ｂ、第３相の下部側可動接触子１０４ｃは第１相の母線接続導体１０７ａ、第２相の母線接続導体１０７ｂ、第３相の母線接続導体１０７ｃのそれぞれの一方側の上端部を挟持して接続される構成となっている。
【００２４】
母線１１０は三相構造からなり、真空遮断器１０１の挿入方向と直交して水平方向に延在するとともに母線接続導体１０７の近傍でその母線接続導体１０７の後方側にその母線接続導体１０７の垂直方向である上下方向に配列されている。母線１１０と母線接続導体１０７とは母線１１０の端部を折曲した母線折曲部により接続される。すなわち、母線１１０は第１相の母線１１０ａ、第２相の母線１１０ｂ、第３相の母線１１０ｃで構成され、第１相の母線１１０ａ、第２相の母線１１０ｂ、第３相の母線１１０ｃのそれぞれ両端部を折曲して形成した第１の母線折曲部１１０ａ１，１１０ａ２、第２の母線折曲部１１０ｂ１，１１０ｂ２、第３の母線折曲部１１０ｃ１，１１０ｃ２を有するコ字状に構成されている。この実施の形態２においては、第１相の母線１１０ａ、第２相の母線１１０ｂ、第３相の母線１１０ｃはそれぞれ両端部を折曲して形成した第１の母線折曲部１１０ａ１，１１０ａ２、第２の母線折曲部１１０ｂ１，１１０ｂ２、第３の母線折曲部１１０ｃ１，１１０ｃ２を有するコ字状に構成されているので、第１相の母線接続導体１０７ａは例えば図４において左隣のスイッチギヤからの第１相の母線１１０ａの第１の母線折曲部１１０ａ１と右隣からのスイッチギヤからの第１相の母線１１０ａの第１の母線折曲部１１０ａ２が接続される。第２相の母線接続導体１０７ｂは例えば図４において左隣のスイッチギヤからの第２相の母線１１０ｂの第２の母線折曲部１１０ｂ１と右隣からのスイッチギヤからの第２相の母線１１０ｂの第２の母線折曲部１１０ｂ２が接続される。第３相の母線接続導体１０７ｃは例えば図４において左隣のスイッチギヤからの第３相の母線１１０ｃの第３の母線折曲部１１０ｃ１と右隣からのスイッチギヤからの第３相の母線１１０ｃの第３の母線折曲部１１０ｃ２が接続される。
【００２５】
外線ケーブル接続導体１１１は真空遮断器１０１の挿入方向と直交し垂直方向、すなわち母線接続導体１０７の鉛直方向上方で上下方向に延在して配設され、外箱１０２の後部のフレーム１１２に碍子１１３を介して支持されている。そして、外線ケーブル接続導体１１１は真空遮断器１０１の上部側可動接触子１０３または下部側可動接触子１０４の何れか他方側が接続されるとともに計器用変流器１１４が接続される。この実施の形態２においては外線ケーブル接続導体１１１の一方側に真空遮断器１０１の上部側可動接触子１０３が接続され、外線ケーブル接続導体１１１の他方側は垂直方向上側の外箱１０２の天井側に配置されている。すなわち、外線ケーブル接続導体１１１は第１相の外線ケーブル接続導体１１１ａ、第２相の外線ケーブル接続導体１１１ｂ、第３相の外線ケーブル接続導体１１１ｃで構成されている。第１相の外線ケーブル接続導体１１１ａの一方側の下端部は真空遮断器１０１の第１相の上部側可動接触子１０３ａが接続され、第２相の外線ケーブル接続導体１１１ｂの一方側の下端部は真空遮断器１０１の第２相の上部側可動接触子１０３ｂが接続され、第３相の外線ケーブル接続導体１１１ｃの一方側の下端部は真空遮断器１０１の第３相の上部側可動接触子１０３ｃが接続される。なお、第１相の上部側可動接触子１０３ａ、第２相の上部側可動接触子１０３ｂ、第３相の上部側可動接触子１０３ｃは第１相の外線ケーブル接続導体１１１ａ、第２相の外線ケーブル接続導体１１１ｂ、第３相の外線ケーブル接続導体１１１ｃのそれぞれの一方側の下端部を挟持して接続される構成となっている。
【００２６】
以上のように、この実施の形態２のものにおいては、真空遮断器１０１の接続位置において真空遮断器１０１の挿入方向と直交し垂直方向、すなわち上下方向に延在して母線接続導体１０７を配設し、真空遮断器１０１の挿入方向と直交して水平方向に延在するとともに母線接続導体１０７の近傍にその母線接続導体１０７の垂直方向である上下方向に母線１１０を配列するとともに、真空遮断器１０１の挿入方向と直交し垂直方向、すなわち母線接続導体１０７の鉛直方向上方で上下方向に延在して外線ケーブル接続導体１１１を配設したので、母線接続導体１０７、母線１１０、外線ケーブル接続導体１１１はスイッチギヤの奥行方向に延在させるのではなく垂直方向の上下方向に配置したので、スイッチギヤの奥行空間を著しく減少させることができ、部品点数の削減による組立時間の削減、主回路導体の最短化による発熱損失の低減を図ることができるとともに、装置全体の小型化を図ることができるスイッチギヤを得ることができる。
【００２７】
また、第１相の母線１１０ａ、第２相の母線１１０ｂ、第３相の母線１１０ｃのそれぞれ両端部を折曲して形成した第１の母線折曲部１１０ａ１，１１０ａ２、第２の母線折曲部１１０ｂ１，１１０ｂ２、第３の母線折曲部１１０ｃ１，１１０ｃ２を有するコ字状に構成されているので、隣接するスイッチギヤ間の母線１１０と母線接続導体との接続作業を容易に行うことができ、接続作業の短縮化を図ることができる。
【００２８】
実施の形態３．
この発明の実施の形態３を図５および図６に基づいて説明するが、各図において、同一、または相当部材、部位については同一符号を付して説明する。図５はこの発明の実施の形態３に係わるスイッチギヤを示す側断面図である。図６はこの発明の実施の形態３に係わるスイッチギヤを示す背面図である。
【００２９】
上述した実施の形態１においては、母線１１０が母線接続導体１０７の後方側に配設された場合について述べたが、この実施の形態３においては、母線接続導体１０７の前面側に母線１１５を配設したものである。
【００３０】
母線１１５の配置以外は上述した実施の形態１の構成と同様である。母線１１５は三相構造からなり、真空遮断器１０１の挿入方向と直交して水平方向に延在するとともに母線接続導体１０７の近傍でその母線接続導体１０７の前面側にその母線接続導体１０７の垂直方向である上下方向に配列されている。母線１１５と母線接続導体１０７とは母線１１５の端部を折曲した母線折曲部により接続される。すなわち、母線１１５は第１相の母線１１５ａ、第２相の母線１１５ｂ、第３相の母線１１５ｃで構成され、第１相の母線１１５ａ、第２相の母線１１５ｂ、第３相の母線１１５ｃのそれぞれ両端部を折曲して形成した第１の母線折曲部１１５ａ１，１１５ａ２、第２の母線折曲部１１５ｂ１，１１５ｂ２、第３の母線折曲部１１５ｃ１，１１５ｃ２を有するコ字状に構成されている。この実施の形態３においては、第１相の母線１１５ａ、第２相の母線１１５ｂ、第３相の母線１１５ｃはそれぞれ両端部を折曲して形成した第１の母線折曲部１１５ａ１，１１５ａ２、第２の母線折曲部１１５ｂ１，１１５ｂ２、第３の母線折曲部１１５ｃ１，１１５ｃ２を有するコ字状に構成されているので、第１相の母線接続導体１０７ａは例えば図６において左隣のスイッチギヤからの第１相の母線１１５ａの第１の母線折曲部１１５ａ１と右隣からのスイッチギヤからの第１相の母線１１５ａの第１の母線折曲部１１５ａ２が接続される。第２相の母線接続導体１０７ｂは例えば図６において左隣のスイッチギヤからの第２相の母線１１５ｂの第２の母線折曲部１１５ｂ１と右隣からのスイッチギヤからの第２相の母線１１５ｂの第２の母線折曲部１１５ｂ２が接続される。第３相の母線接続導体１０７ｃは例えば図６において左隣のスイッチギヤからの第３相の母線１１５ｃの第３の母線折曲部１１０ｃ１と右隣からのスイッチギヤからの第３相の母線１１０ｃの第３の母線折曲部１１５ｃ２が接続される。
【００３１】
この実施の形態３によれば、母線接続導体１０７の前面側に母線１１５を配設したことにより、母線１１５の接続作業を前面側からできるので、真空遮断器１０１の上部スペースを利用して母線１１５の接続作業を実施することができる。これにより、スイッチギヤの後面は単なるカバーとすることができ、スイッチギヤの裏面の接続作業用スペースを必要としないため、スイッチギヤの据付面積の縮小化を図ることができる。
【００３２】
実施の形態４．
この発明の実施の形態４を図７および図８に基づいて説明するが、各図において、同一、または相当部材、部位については同一符号を付して説明する。図７はこの発明の実施の形態４に係わるスイッチギヤを示す側断面図である。図８はこの発明の実施の形態４に係わるスイッチギヤを示す背面図である。
【００３３】
上述した実施の形態２においては、母線１１０が母線接続導体１０７の後方側に配設された場合について述べたが、この実施の形態４においては、母線接続導体１０７の前面側に母線１１５を配設したものである。
【００３４】
母線１１５の配置以外は上述した実施の形態２の構成と同様である。母線１１５は三相構造からなり、真空遮断器１０１の挿入方向と直交して水平方向に延在するとともに母線接続導体１０７の近傍でその母線接続導体１０７の前面側にその母線接続導体１０７の垂直方向である上下方向に配列されている。母線１１５と母線接続導体１０７とは母線１１５の端部を折曲した母線折曲部により接続される。すなわち、母線１１５は第１相の母線１１５ａ、第２相の母線１１５ｂ、第３相の母線１１５ｃで構成され、第１相の母線１１５ａ、第２相の母線１１５ｂ、第３相の母線１１５ｃのそれぞれ両端部を折曲して形成した第１の母線折曲部１１５ａ１，１１５ａ２、第２の母線折曲部１１５ｂ１，１１５ｂ２、第３の母線折曲部１１５ｃ１，１１５ｃ２を有するコ字状に構成されている。この実施の形態４においては、第１相の母線１１５ａ、第２相の母線１１５ｂ、第３相の母線１１５ｃはそれぞれ両端部を折曲して形成した第１の母線折曲部１１５ａ１，１１５ａ２、第２の母線折曲部１１５ｂ１，１１５ｂ２、第３の母線折曲部１１５ｃ１，１１５ｃ２を有するコ字状に構成されているので、第１相の母線接続導体１０７ａは例えば図８において左隣のスイッチギヤからの第１相の母線１１５ａの第１の母線折曲部１１５ａ１と右隣からのスイッチギヤからの第１相の母線１１５ａの第１の母線折曲部１１５ａ２が接続される。第２相の母線接続導体１０７ｂは例えば図８において左隣のスイッチギヤからの第２相の母線１１５ｂの第２の母線折曲部１１５ｂ１と右隣からのスイッチギヤからの第２相の母線１１５ｂの第２の母線折曲部１１５ｂ２が接続される。第３相の母線接続導体１０７ｃは例えば図８において左隣のスイッチギヤからの第３相の母線１１５ｃの第３の母線折曲部１１０ｃ１と右隣からのスイッチギヤからの第３相の母線１１０ｃの第３の母線折曲部１１５ｃ２が接続される。
【００３５】
この実施の形態４によれば、母線接続導体１０７の前面側に母線１１５を配設したことにより、母線１１５の接続作業を前面側からできるので、真空遮断器１０１の下部スペースを利用して母線１１５の接続作業を実施することができ接続作業の短縮化を図ることができる。これにより、スイッチギヤの後面は単なるカバーとすることができ、スイッチギヤの裏面の接続作業用スペースを必要としないため、スイッチギヤの据付面積の縮小化を図ることができる。
【００３６】
実施の形態５．
この発明の実施の形態５を図９〜図１１に基づいて説明するが、各図において、同一、または相当部材、部位については同一符号を付して説明する。図９はこの発明の実施の形態５に係わるスイッチギヤにおける母線接続構造を示す平面図である。図１０はこの発明の実施の形態５に係わるスイッチギヤにおける上部側可動接触子と母線接続導体との接続構造を示す平面断面図である。図１１はこの発明の実施の形態５に係わるスイッチギヤにおける上部側可動接触子と母線接続導体との接続構造を示す側面図である。
【００３７】
この発明の実施の形態５は上述した実施の形態１をベースにしており、図９に示すように複数のスイッチギヤが連設して配置される場合の一例であり、上方側より見た状態である。従って、母線１１０としては第３相の母線１１０ｃが各スイッチギヤ間に延在している状態である。すなわち、中央のスイッチギヤを基準にした場合、第３相の母線接続導体１０７ｃと第３相の母線１１０ｃとの接続は、例えば左隣のスイッチギヤからの第３相の母線１１０ｃの第３の母線折曲部１１０ｃ１と右隣からのスイッチギヤからの第３相の母線１１０ｃの第３の母線折曲部１１０ｃ２が第３相の母線接続導体１０７ｃに接続されることにより、連設するスイッチギヤの第３相の母線１１０ｃの接続が行われる。
【００３８】
このように、第３相の母線１１０ｃの端部を折曲して形成した第３の母線折曲部１１０ｃ１，１１０ｃ２とすることにより、各スイッチギヤ間の第３相の母線１１０ｃの接続を容易に行うことができ、接続作業の短縮化を図ることができる。
【００３９】
第１相の母線１１０ａおよび第２相の母線１１０ｂについても第３相の母線１１０ｃと同様に接続が行われ、各スイッチギヤ間の第１相の母線１１０ａおよび第２相の母線１１０ｂの接続を容易に行うことができ、接続作業の短縮化を図ることができる。
【００４０】
また、図１０および図１１は例えば第１相の上部側可動接触子１０３ａと第１相の母線接続導体１０７ａとの接続構造を示しており、第１相の上部側可動接触子１０３ａは可動導体１１６とこの可動導体１１６を一方側で挟持する挟持体１１７により構成され、挟持体１１７は連結体１１８と押圧ばね１１９により可動導体１１６と挟持体１１７とは固持されている。挟持体１１７は例えば上下方向に４対設けられた場合を示している。そして、第１相の上部側可動接触子１０３ａの挟持体１１７の他方側は第１相の母線接続導体１０７ａを挟持して接続される。
【００４１】
可動導体１１６と挟持体１１７により構成される第１相の上部側可動接触子１０３ａについて述べたが、このような構成は第２相の上部側可動接触子１０３ｂ、第３相の上部側可動接触子１０３ｃにも適用されるとともに、第１相の下部側可動接触子１０４ａ、第２相の下部側可動接触子１０４ｂ、第３相の下部側可動接触子１０４ｃにも適用され、同様の効果を奏する。
【００４２】
また、この実施の形態５は上述した実施の形態１をベースにして述べたが、上述した実施の形態２から上述した実施の形態４の構成のものについても適用することができ、同様の効果を奏する。
【００４３】
実施の形態６．
この発明の実施の形態６を図１２から図１４に基づいて説明するが、各図において、同一、または相当部材、部位については同一符号を付して説明する。図１２はこの発明の実施の形態６に係わるスイッチギヤを示す側断面図である。図１３はこの発明の実施の形態６に係わるスイッチギヤを示す背面図である。図１４はこの発明の実施の形態６に係わるスイッチギヤにおける母線接続構造を示す平面図である。
【００４４】
上述した実施の形態１および実施の形態２は母線１１０が母線接続導体１０７の後方側に配設された場合、および上述した実施の形態３および実施の形態４は母線１１５が母線接続導体１０７の全面側に配設された場合について述べたが、この実施の形態６においては、母線接続導体１０７の後方側に母線１１０を配設し、母線接続導体１０７の全面側に母線１１５を配設するとともに、母線１１０および母線１１５と母線接続導体１０７との接続は挟持構造により接続するようにしたものであり、例えば外線ケーブルを例えば下部から引き込む場合を示している。
【００４５】
すなわち、母線１１０は第１相の母線１１０ａ、第２相の母線１１０ｂ、第３相の母線１１０ｃで構成され、第１相の母線１１０ａ、第２相の母線１１０ｂ、第３相の母線１１０ｃのそれぞれ端部を折曲して形成した第１の母線折曲部１１０ａ３，１１０ａ４、第２の母線折曲部１１０ｂ３，１１０ｂ４、第３の母線折曲部１１０ｃ３，１１０ｃ４を有するコ字状に構成されている。
【００４６】
母線１１５は第１相の母線１１５ａ、第２相の母線１１５ｂ、第３相の母線１１５ｃで構成され、第１相の母線１１５ａ、第２相の母線１１５ｂ、第３相の母線１１５ｃのそれぞれ端部を折曲して形成した第１の母線折曲部１１５ａ３，１１５ａ４、第２の母線折曲部１１５ｂ３，１１５ｂ４、第３の母線折曲部１１５ｃ３，１１５ｃ４を有するコ字状に構成されている。
【００４７】
そして、第１相の母線接続導体１０７ａと第１相の母線１１０ａの第１の母線折曲部１１０ａ３、および第１相の母線接続導体１０７ａと第１相の母線１１０ａの第１の母線折曲部１１０ａ４はそれぞれ第１の母線接触子１２０ａにより挟持されて接続される。さらに、第１相の母線接続導体１０７ａと第１相の母線１１５ａの第１の母線折曲部１１５ａ３、および第１相の母線接続導体１０７ａと第１相の母線１１５ａの第１の母線折曲部１１５ａ４はそれぞれ第１の母線接触子１２１ａにより挟持されて接続される。
【００４８】
また、第２相の母線接続導体１０７ｂと第２相の母線１１０ｂの第２の母線折曲部１１０ｂ３、および第２相の母線接続導体１０７ｂと第２相の母線１１０ｂの第２の母線折曲部１１０ｂ４はそれぞれ第２の母線接触子１２０ｂにより挟持されて接続される。さらに、第２相の母線接続導体１０７ｂと第２相の母線１１５ｂの第２の母線折曲部１１５ｂ３、および第２相の母線接続導体１０７ｂと第２相の母線１１５ｂの第２の母線折曲部１１５ｂ４はそれぞれ第２の母線接触子１２１ｂにより挟持されて接続される。
【００４９】
また、第３相の母線接続導体１０７ｃと第３相の母線１１０ｃの第３の母線折曲部１１０ｃ３、および第３相の母線接続導体１０７ｃと第３相の母線１１０ｃの第３の母線折曲部１１０ｃ４はそれぞれ第３の母線接触子１２０ｃにより挟持されて接続される。さらに、第３相の母線接続導体１０７ｃと第３相の母線１１５ｃの第３の母線折曲部１１５ｃ３、および第３相の母線接続導体１０７ｃと第３相の母線１１５ｃの第３の母線折曲部１１５ｃ４はそれぞれ第３の母線接触子１２１ｃにより挟持されて接続される。
【００５０】
スイッチギヤが複数連設される母線１１０および母線１１５と母線接続導体１０７との接続は例えば図１４に示すような接続構成となる。左隣のスイッチギヤにおいては、第１相の母線１１０ａの第１の母線折曲部１１０ａ４は第１相の母線接続導体１０７ａに第１の母線接触子１２０ａにより挟持されて接続され、その第１相の母線接続導体１０７ａに第１相の母線１１５ａの第１の母線折曲部１１５ａ４が第１の母線接触子１２１ａにより挟持されて接続される。さらに、中央のスイッチギヤにおいては、第１相の母線１１５ａの第１の母線折曲部１１５ａ３が第１相の母線接続導体１０７ａに第１の母線接触子１２１ａにより挟持されて接続され、その第１相の母線接続導体１０７ａに第１相の母線１１０ａの第１の母線折曲部１１０ａ３が第１の母線接触子１２０ａにより挟持されて接続される。さらに、右隣のスイッチギヤにおいては、第１相の母線１１０ａの第１の母線折曲部１１０ａ４は第１相の母線接続導体１０７ａに第１の母線接触子１２０ａにより挟持されて接続され、その第１相の母線接続導体１０７ａに第１相の母線１１５ａの第１の母線折曲部１１５ａ４が第１の母線接触子１２１ａにより挟持されて接続される。
【００５１】
また、左隣のスイッチギヤにおいては、第２相の母線１１０ｂの第２の母線折曲部１１０ｂ４は第２相の母線接続導体１０７ｂに第２の母線接触子１２０ｂにより挟持されて接続され、その第２相の母線接続導体１０７ｂに第２相の母線１１５ｂの第２の母線折曲部１１５ｂ４が第２の母線接触子１２１ｂにより挟持されて接続される。さらに、中央のスイッチギヤにおいては、第２相の母線１１５ｂの第２の母線折曲部１１５ｂ３が第２相の母線接続導体１０７ｂに第２の母線接触子１２１ｂにより挟持されて接続され、その第２相の母線接続導体１０７ｂに第２相の母線１１０ｂの第２の母線折曲部１１０ｂ３が第２の母線接触子１２０ｂにより挟持されて接続される。さらに、右隣のスイッチギヤにおいては、第２相の母線１１０ｂの第２の母線折曲部１１０ｂ４は第２相の母線接続導体１０７ｂに第２の母線接触子１２０ｂにより挟持されて接続され、その第２相の母線接続導体１０７ｂに第２相の母線１１５ｂの第２の母線折曲部１１５ｂ４が第２の母線接触子１２１ｂにより挟持されて接続される。
【００５２】
また、左隣のスイッチギヤにおいては、第３相の母線１１０ｃの第３の母線折曲部１１０ｃ４は第３相の母線接続導体１０７ｃに第３の母線接触子１２０ｃにより挟持されて接続され、その第３相の母線接続導体１０７ｃに第３相の母線１１５ｃの第３の母線折曲部１１５ｃ４が第３の母線接触子１２１ｃにより挟持されて接続される。さらに、中央のスイッチギヤにおいては、第３相の母線１１５ｃの第３の母線折曲部１１５ｃ３が第３相の母線接続導体１０７ｃに第３の母線接触子１２１ｃにより挟持されて接続され、その第３相の母線接続導体１０７ｃに第３相の母線１１０ｃの第３の母線折曲部１１０ｃ３が第３の母線接触子１２０ｃにより挟持されて接続される。さらに、右隣のスイッチギヤにおいては、第３相の母線１１０ｃの第３の母線折曲部１１０ｃ４は第３相の母線接続導体１０７ｃに第３の母線接触子１２０ｃにより挟持されて接続され、その第３相の母線接続導体１０７ｃに第３相の母線１１５ｃの第３の母線折曲部１１５ｃ４が第３の母線接触子１２１ｃにより挟持されて接続される。
【００５３】
このように、スイッチギヤを貫通する第１相の母線１１０ａ、第２相の母線１１０ｂ、第３相の母線１１０ｃおよび第１相の母線１１５ａ、第２相の母線１１５ｂ、第３相の母線１１５ｃの接続を真空遮断器１０１の上部側可動接触子１０３と同様の接触子構成で行うようにしている。そのために第１相の母線１１５ａ、第２相の母線１１５ｂ、第３相の母線１１５ｃは前面側からと第１相の母線１１０ａ、第２相の母線１１０ｂ、第３相の母線１１０ｃは後方側からの両方から第１相の母線接続導体１０７ａ、第２相の母線接続導体１０７ｂ、第３相の母線接続導体１０７ｃにそれぞれ接続できるようにすることにより、両隣のスイッチギヤに第１相の母線１１０ａ、第２相の母線１１０ｂ、第３相の母線１１０ｃおよび第１相の母線１１５ａ、第２相の母線１１５ｂ、第３相の母線１１５ｃを接続することができる。この構造により第１相の母線１１０ａ、第２相の母線１１０ｂ、第３相の母線１１０ｃおよび第１相の母線１１５ａ、第２相の母線１１５ｂ、第３相の母線１１５ｃを接続する作業も、第１相の母線１１０ａ、第２相の母線１１０ｂ、第３相の母線１１０ｃおよび第１相の母線１１５ａ、第２相の母線１１５ｂ、第３相の母線１１５ｃを第１の母線接触子１２０ａ、第２の母線接触子１２０ｂ、第３の母線接触子１２０ｃおよび第１の母線接触子１２１ａ、第２の母線接触子１２１ｂ、第３の母線接触子１２１ｃにそれぞれ差し込むだけで第１相の母線接続導体１０７ａ、第２相の母線接続導体１０７ｂ、第３相の母線接続導体１０７ｃに接続することができるので、現地などでの母線接続作業時間の短縮化を図ることができる。
【００５４】
また、この実施の形態６においては外線ケーブルを例えば下部から引き込む場合について述べたが、上述した実施の形態２および実施の形態４のような外線ケーブルを上部から引き込む場合についても適用することができ、この実施の形態６と同様の効果を奏する。
【００５５】
実施の形態７．
この発明の実施の形態７を図１５および図１６に基づいて説明するが、各図において、同一、または相当部材、部位については同一符号を付して説明する。図１５はこの発明の実施の形態７に係わるスイッチギヤを示す側断面図である。図１６はこの発明の実施の形態７に係わるスイッチギヤを示す背面図である。
【００５６】
上述した各実施の形態においては真空遮断器が１段構成の場合について述べたが、この実施の形態７においては真空遮断器が複数段、例えば２段構成の場合を示しており、母線、母線接続導体、外線ケーブル接続導体の配置構成については上述した各実施の形態の配置構成と実質的に同様となっている。そして、図１５および図１６においては外線ケーブルを例えば下部から引き込む場合を示している。
【００５７】
開閉器として上段側の第１の真空遮断器２０１の場合を示し、上段側の第１の真空遮断器２０１は例えば三相構造からなり、外箱１０２内に挿入および引き出されるとともに上部側可動接触子２０２と下部側可動接触子２０３とを有する。第１の真空遮断器２０１の上部側可動接触子２０２と下部側可動接触子２０３は図１６に示すようにそれぞれ水平方向一列に配設され、上部側可動接触子２０２は図示はされていないが第１相の上部側可動接触子２０２ａ、第２相の上部側可動接触子２０２ｂ、第３相の上部側可動接触子２０２ｃで構成され、下部側可動接触子２０３は図示はされていないが第１相の下部側可動接触子２０３ａ、第２相の下部側可動接触子２０３ｂ、第３相の下部側可動接触子２０３ｃで構成されている。また、第１の真空遮断器２０１は外箱１０２内の架台２０５上に載置され、車輪２０６の回動により第１の真空遮断器２０１を挿入したり、引き出したりする。
【００５８】
開閉器として下段側の第２の真空遮断器３０１の場合を示し、下段側の第２の真空遮断器３０１は例えば三相構造からなり、外箱１０２内に挿入および引き出されるとともに上部側可動接触子３０２と下部側可動接触子３０３とを有する。第２の真空遮断器３０１の上部側可動接触子３０２と下部側可動接触子３０３は図１６に示すようにそれぞれ水平方向一列に配設され、上部側可動接触子３０２は第１相の上部側可動接触子３０２ａ、第２相の上部側可動接触子３０２ｂ、第３相の上部側可動接触子３０２ｃで構成され、下部側可動接触子３０３は第１相の下部側可動接触子３０３ａ、第２相の下部側可動接触子３０３ｂ、第３相の下部側可動接触子３０３ｃで構成されている。また、第２の真空遮断器３０１は外箱１０２内の架台３０５上に載置され、車輪３０６の回動により第２の真空遮断器３０１を挿入したり、引き出したりする。
【００５９】
母線接続導体２０７は第１の真空遮断器２０１および第２の真空遮断器３０１の挿入方向と直交し垂直方向、すなわち上下方向に延在して配設され、外箱１０２のフレーム２０８に碍子２０９を介して支持されている。そして、母線接続導体２０７は第１の真空遮断器２０１の下部側可動接触子１０４と第２の真空遮断器３０１の上部側可動接触子３０２とが接続される。すなわち、母線接続導体２０７は第１相の母線接続導体２０７ａ、第２相の母線接続導体２０７ｂ、第３相の母線接続導体２０７ｃで構成されている。第１相の母線接続導体２０７ａの一方側の上端部は第１の真空遮断器２０１の第１相の下部側可動接触子２０３ａが接続されるとともに、第１相の母線接続導体２０７ａの他方側の下端部は第２の真空遮断器３０１の第１相の上部側可動接触子３０２ａが接続される。第２相の母線接続導体２０７ｂの一方側の上端部は第１の真空遮断器２０１の第２相の下部側可動接触子２０３ｂが接続されるとともに、第２相の母線接続導体２０７ｂの他方側の下端部は第２の真空遮断器３０１の第２相の上部側可動接触子３０２ｂが接続される。第３相の母線接続導体２０７ｃの一方側の上端部は第１の真空遮断器２０１の第３相の下部側可動接触子２０３ｃが接続されるとともに、第３相の母線接続導体２０７ｃの他方側の下端部は第２の真空遮断器３０１の第３相の上部側可動接触子３０２ｃが接続される。
【００６０】
母線２１０は例えば三相構造からなり、第１の真空遮断器２０１および第２の真空遮断器３０１の挿入方向と直交して水平方向に延在するとともに母線接続導体２０７の近傍でその母線接続導体２０７の後方側にその母線接続導体２０７の垂直方向である上下方向に配列されている。母線２１０と母線接続導体２０７とは母線２１０の端部を折曲した母線折曲部により接続される。すなわち、母線２１０は第１相の母線２１０ａ、第２相の母線２１０ｂ、第３相の母線２１０ｃで構成され、第１相の母線２１０ａ、第２相の母線２１０ｂ、第３相の母線２１０ｃのそれぞれ端部を折曲して形成した第１の母線折曲部２１０ａ１，２１０ａ２、第２の母線折曲部２１０ｂ１，２１０ｂ２、第３の母線折曲部２１０ｃ１，２１０ｃ２を有するコ字状に構成されている。この実施の形態７においては、第１相の母線２１０ａ、第２相の母線２１０ｂ、第３相の母線２１０ｃはそれぞれ端部を折曲して形成した第１の母線折曲部２１０ａ１，２１０ａ２、第２の母線折曲部２１０ｂ１，２１０ｂ２、第３の母線折曲部２１０ｃ１，２１０ｃ２を有するコ字状に構成されているので、第１相の母線接続導体２０７ａは左隣のスイッチギヤからの第１相の母線２１０ａの第１の母線折曲部２１０ａ１と右隣からのスイッチギヤからの第１相の母線２１０ａの第１の母線折曲部２１０ａ２が接続される。第２相の母線接続導体２０７ｂは左隣のスイッチギヤからの第２相の母線２１０ｂの第２の母線折曲部２１０ｂ１と右隣からのスイッチギヤからの第２相の母線２１０ｂの第２の母線折曲部２１０ｂ２が接続される。第３相の母線接続導体２０７ｃは左隣のスイッチギヤからの第３相の母線２１０ｃの第３の母線折曲部２１０ｃ１と右隣からのスイッチギヤからの第３相の母線２１０ｃの第３の母線折曲部２１０ｃ２が接続される。
【００６１】
外線ケーブル接続導体２１１は第２の真空遮断器３０１の挿入方向と直交し垂直方向、すなわち母線接続導体１０７の鉛直方向下方で上下方向に延在して配設され、外箱１０２のフレーム２１２に碍子２１３を介して支持されている。そして、外線ケーブル接続導体２１１の一方側に第２の真空遮断器３０１の下部側可動接触子３０３が接続され、外線ケーブル接続導体２１１の他方側は垂直方向下側の外箱１０２の底部側に配置されている。すなわち、外線ケーブル接続導体２１１は第１相の外線ケーブル接続導体２１１ａ、第２相の外線ケーブル接続導体２１１ｂ、第３相の外線ケーブル接続導体２１１ｃで構成されている。第１相の外線ケーブル接続導体２１１ａの一方側の上端部は第２の真空遮断器３
０１の第１相の下部側可動接触子３０３ａが接続され、第２相の外線ケーブル接続導体２１１ｂの一方側の上端部は第２の真空遮断器３０１の第２相の下部側可動接触子３０３ｂが接続され、第３相の外線ケーブル接続導体２１１ｃの一方側の上端部は第２の真空遮断器３０１の第３相の下部側可動接触子３０３ｃが接続される。なお、第１相の下部側可動接触子３０３ａ、第２相の下部側可動接触子３０３ｂ、第３相の下部側可動接触子３０３ｃは第１相の外線ケーブル接続導体２１１ａ、第２相の外線ケーブル接続導体２１１ｂ、第３相の外線ケーブル接続導体２１１ｃのそれぞれの一方側の上端部を挟持して接続される構成となっている。
【００６２】
そして、上段側の第１の真空遮断器２０１の上部側可動接触子２０２は、奥行方向に配設され外箱１０２のフレーム２１５に碍子２１６を介して支持された外線ケーブル接続導体２１７に接続される。外線ケーブル接続導体２１７には計器用変流器２１８が接続される。外線ケーブル接続導体２１７は第１相の外線ケーブル接続導体２１７ａ、第２相の外線ケーブル接続導体２１７ｂ、第３相の外線ケーブル接続導体２１７ｃにより構成されている。
【００６３】
この実施の形態７によれば、上段側に第１の真空遮断器２０１を配置するとともに下段側に第２の真空遮断器３０１を配置した２段構成とし、母線接続導体２０７を第１の真空遮断器２０１および第２の真空遮断器３０１の挿入方向と直交し垂直方向、すなわち上下方向に延在して配設し、第１の真空遮断器２０１および第２の真空遮断器３０１の挿入方向と直交して水平方向に延在するとともに母線接続導体２０７の近傍でその母線接続導体２０７の後方側にその母線接続導体２０７の垂直方向である上下方向に母線２１０を配列し、母線２１０と母線接続導体２０７とを接続するとともに、上段側の第１の真空遮断器２０１の下部側可動接触子１０４と第２の真空遮断器３０１の上部側可動接触子３０２とが母線接続導体２０７に接続されるとともに、第２の真空遮断器３０１の挿入方向と直交し垂直方向、すなわち母線接続導体１０７の鉛直方向下方で上下方向に延在して外線ケーブル接続導体２１１を配設し、その外線ケーブル接続導体２１１に第２の真空遮断器３０１の下部側可動接触子３０３が接続される構成としたので、スイッチギヤの奥行空間を著しく減少させることができ、部品点数の削減による組立時間の削減、主回路導体の最短化による発熱損失の低減を図ることができるとともに、装置全体の小型化を図ることができるスイッチギヤを得ることができる。
【００６４】
また、母線２１０は第１相の母線２１０ａ、第２相の母線２１０ｂ、第３相の母線２１０ｃのそれぞれ端部を折曲して形成した第１の母線折曲部２１０ａ１，２１０ａ２、第２の母線折曲部２１０ｂ１，２１０ｂ２、第３の母線折曲部２１０ｃ１，２１０ｃ２を有するコ字状に構成されているので、隣接するスイッチギヤ間の母線２１０と母線接続導体との接続作業を容易に行うことができ、接続作業の短縮化を図ることができる。
【００６５】
さらに、上段側に第１の真空遮断器２０１を配置するとともに下段側に第２の真空遮断器３０１を配置した２段構成としたことにより、２回路分を一つの外箱１０２内に収納することできるので、スイッチギヤの面数を削減することができ、スイッチギヤの据付面積を縮小化することができる。
【００６６】
なお、この実施の形態７においては、外線ケーブルを例えば下部から引き込む場合について述べたが、これに限定されるものではなく、外線ケーブルを上部から引き込む場合についても適用することができ、この場合には外線ケーブル接続導体２１１は第１の真空遮断器２０１の上部側可動接触子２０２と接続されるように配置されるとともに、外線ケーブル接続導体２１７は第２の真空遮断器３０１の下部側可動接触子３０３が接続されるように配置され、この実施の形態７と同様の効果を奏する。
【００６７】
また、この実施の形態７においては、母線２１０が母線接続導体２０７の後方側に配設された場合について述べたが、これに限定されるものではなく、母線を母線接続導体２０７の前面側に配設してもよく、この実施の形態７と同様の効果を奏する。さらに、母線を母線接続導体２０７の前面側に配設したことにより、母線の接続作業を前面側からできるので、母線の接続作業を実施することができ接続作業の短縮化を図ることができる。
【００６８】
実施の形態８．
この発明の実施の形態８を図１７および図１８に基づいて説明するが、各図において、同一、または相当部材、部位については同一符号を付して説明する。図１７はこの発明の実施の形態８に係わるスイッチギヤを示す側断面図である。図１８はこの発明の実施の形態８に係わるスイッチギヤを示す背面図である。
【００６９】
上述した実施の形態７においては、母線２１０が母線接続導体２０７の後方側に配設された場合、あるいは母線が母線接続導体２０７の前面側に配設される場合について述べたが、この実施の形態８においては、上述した実施の形態６と同様に、母線２１０が母線接続導体２０７の後方側に配設され、母線３１５が母線接続導体２０７の前面側に配設された場合を示している。そして、図１７および図１８においては外線ケーブルを例えば下部から引き込む場合を示している。
【００７０】
すなわち、母線２１０は第１相の母線２１０ａ、第２相の母線２１０ｂ、第３相の母線２１０ｃで構成され、第１相の母線２１０ａ、第２相の母線２１０ｂ、第３相の母線２１０ｃのそれぞれ端部を折曲して形成した第１の母線折曲部２１０ａ３、第２の母線折曲部２１０ｂ３、第３の母線折曲部２１０ｃ３を有するコ字状に構成されている。
【００７１】
母線３１５は第１相の母線３１５ａ、第２相の母線３１５ｂ、第３相の母線３１５ｃで構成され、第１相の母線３１５ａ、第２相の母線３１５ｂ、第３相の母線３１５ｃのそれぞれ端部を折曲して形成した第１の母線折曲部３１５ａ３、第２の母線折曲部３１５ｂ３、第３の母線折曲部３１５ｃ３を有するコ字状に構成されている。
【００７２】
そして、第１相の母線接続導体２０７ａと第１相の母線２１０ａの第１の母線折曲部２１０ａ３は第１の母線接触子２２０ａにより挟持されて接続される。さらに、第１相の母線接続導体２０７ａと第１相の母線３１５ａの第１の母線折曲部３１５ａ３は第１の母線接触子３２０ａにより挟持されて接続される。
【００７３】
また、第２相の母線接続導体２０７ｂと第２相の母線２１０ｂの第２の母線折曲部２１０ｂ３は第２の母線接触子２２０ｂにより挟持されて接続される。さらに、第２相の母線接続導体２０７ｂと第２相の母線３１５ｂの第２の母線折曲部３１５ｂ３は第２の母線接触子３２０ｂにより挟持されて接続される。
【００７４】
また、第３相の母線接続導体２０７ｃと第３相の母線２１０ｃの第３の母線折曲部２１０ｃ３は第３の母線接触子２２０ｃにより挟持されて接続される。さらに、第３相の母線接続導体２０７ｃと第３相の母線３１５ｃの第３の母線折曲部３１５ｃ３は第３の母線接触子３２０ｃにより挟持されて接続される。
【００７５】
この実施の形態８によれば、上段側に第１の真空遮断器２０１を配置するとともに下段側に第２の真空遮断器３０１を配置した２段構成とし、母線接続導体２０７を第１の真空遮断器２０１および第２の真空遮断器３０１の挿入方向と直交し垂直方向、すなわち上下方向に延在して配設し、第１の真空遮断器２０１および第２の真空遮断器３０１の挿入方向と直交して水平方向に延在するとともに母線接続導体２０７の近傍でその母線接続導体２０７の後方側および前面側にその母線接続導体２０７の垂直方向である上下方向に母線２１０および母線３１５を配列し、母線２１０と母線接続導体２０７および母線３１５と母線接続導体２０７とを接続するとともに、上段側の第１の真空遮断器２０１の下部側可動接触子１０４と第２の真空遮断器３０１の上部側可動接触子３０２とが母線接続導体２０７に接続されるとともに、第２の真空遮断器３０１の挿入方向と直交し垂直方向、すなわち母線接続導体１０７の鉛直方向下方で上下方向に延在して外線ケーブル接続導体２１１を配設し、その外線ケーブル接続導体２１１に第２の真空遮断器３０１の下部側可動接触子３０３が接続される構成としたので、スイッチギヤの奥行空間を著しく減少させることができ、部品点数の削減による組立時間の削減、主回路導体の最短化による発熱損失の低減を図ることができるとともに、装置全体の小型化を図ることができるスイッチギヤを得ることができる。
【００７６】
また、母線２１０は第１相の母線２１０ａ、第２相の母線２１０ｂ、第３相の母線２１０ｃのそれぞれ端部を折曲して形成した第１の母線折曲部２１０ａ１、第２の母線折曲部２１０ｂ１、第３の母線折曲部２１０ｃ１を有するコ字状に構成され、母線３１５は第１相の母線３１５ａ、第２相の母線３１５ｂ、第３相の母線３１５ｃのそれぞれ端部を折曲して形成した第１の母線折曲部３１５ａ１、第２の母線折曲部３１５ｂ１、第３の母線折曲部３１５ｃ１を有するコ字状に構成されているので、隣接するスイッチギヤ間の母線と母線接続導体との接続作業を容易に行うことができ、接続作業の短縮化を図ることができる。
【００７７】
第１相の母線２１０ａ、第２相の母線２１０ｂ、第３相の母線２１０ｃおよび第１相の母線３１５ａ、第２相の母線３１５ｂ、第３相の母線３１５ｃを接続する作業も、第１相の母線２１０ａ、第２相の母線２１０ｂ、第３相の母線２１０ｃおよび第１相の母線３１５ａ、第２相の母線３１５ｂ、第３相の母線３１５ｃを第１の母線接触子２２０ａ、第２の母線接触子２２０ｂ、第３の母線接触子２２０ｃおよび第１の母線接触子３２０ａ、第２の母線接触子３２０ｂ、第３の母線接触子３２０ｃにそれぞれ差し込むだけで第１相の母線接続導体２０７ａ、第２相の母線接続導体２０７ｂ、第３相の母線接続導体２０７ｃに接続することができるので、現地などでの母線接続作業時間の短縮化を図ることができる。
【００７８】
さらに、上段側に第１の真空遮断器２０１を配置するとともに下段側に第２の真空遮断器３０１を配置した２段構成としたことにより、２回路分を一つの外箱１０２内に収納することできるので、スイッチギヤの面数を削減することができ、スイッチギヤの据付面積を縮小化することができる。
【００７９】
実施の形態９．
この発明の実施の形態９を図１９および図２０に基づいて説明するが、各図において、同一、または相当部材、部位については同一符号を付して説明する。図１９はこの発明の実施の形態９に係わるスイッチギヤを示す側断面図である。図２０はこの発明の実施の形態９に係わるスイッチギヤを示す背面図である。
【００８０】
上述した実施の形態８においては、外線ケーブルを例えば下部から引き込む場合について述べたが、これに限定されるものではなく、外線ケーブルを上部から引き込む場合についても適用することができ、この場合には図１９および図２０に示すように外線ケーブル接続導体２１１は第１の真空遮断器２０１の上部側可動接触子２０２と接続されるように配置されるとともに、外線ケーブル接続導体２１７は第２の真空遮断器３０１の下部側可動接触子３０３が接続されるように配置され、上述した実施の形態８と同様の効果を奏する。
【００８１】
なお、上述した各実施の形態の説明では、三相構造の真空遮断器に適用した例を示したが、この発明は三相構造に限定されるものではなく、単相あるいは四相などの多相の回路に適用してもよい。また、真空遮断器に限定されるものではなく、電磁接触器などの遮断機能を有していないが回路の開閉を行なう開閉器であっても、上述した各実施の形態と同様の効果を奏する。この発明では、上記真空遮断器以外に上記電磁接触器も含んだ概念として開閉器と称し、この開閉器を適用すれば、上述した各実施の形態で説明した効果が得られる。そして、この発明は、その発明の範囲内において、各実施の形態を自由に組み合わせたり、各実施の形態を適宜、変形、省略することが可能である。
【産業上の利用可能性】
【００８２】
この発明は、母線と引出形真空遮断器との接続構造を改良することにより、小型化を図ることができるスイッチギヤの実現に好適である。
【符号の説明】
【００８３】
１０１  真空遮断器、１０２  外箱、１０３  上部側可動接触子、１０４  下部側可動接触子、１０７  母線接続導体、１１０  母線、１１１  外線ケーブル接続導体、１１４  計器用変流器、１１５  母線、１２０  母線接触子、１２１  母線接触子、２０１  第１の真空遮断器、２０２  上部側可動接触子、２０３  下部側可動接触子、２０７  母線接続導体、２１０  母線、２１１  外線ケーブル接続導体、２１４  計器用変流器、２１７  外線ケーブル接続導体、２１８  計器用変流器、２２０  母線接触子、３０１  第２の真空遮断器、３０２  上部側可動接触子、３０３  下部側可動接触子、３１５  母線、３２０  母線接触子。
【図１】
2014131387.tif 000003
【図２】
2014131387.tif 000004
【図３】
2014131387.tif 000005
【図４】
2014131387.tif 000006
【図５】
2014131387.tif 000007
【図６】
2014131387.tif 000008
【図７】
2014131387.tif 000009
【図８】
2014131387.tif 000010
【図９】
2014131387.tif 000011
【図１０】
2014131387.tif 000012
【図１１】
2014131387.tif 000013
【図１２】
2014131387.tif 000014
【図１３】
2014131387.tif 000015
【図１４】
2014131387.tif 000016
【図１５】
2014131387.tif 000017
【図１６】
2014131387.tif 000018
【図１７】
2014131387.tif 000019
【図１８】
2014131387.tif 000020
【図１９】
2014131387.tif 000021
【図２０】
2014131387.tif 000022
【図２１】
2014131387.tif 000023